(57)【要約】【課題】  光記録再生装置と外部記憶装置制御回路のインターフェース信号から直接に冷却ファンの制御信号を生成する。光記録再生装置の書き込み動作に正確に同期してファンの駆動を制御するようにする。これにより書き込み速度が高速の光ディスクのように温度マージンが少ない光ディスク装置を効果的に冷却し、電子機器を安定に動作させる。【解決手段】  光記録再生装置と外部記憶装置制御回路のインターフェース信号中のＤＤＭＡＲＤＹ信号と、ＨＳＴＲＯＢＥ信号によりファンをオン・オフ制御するファン制御信号を生成する。またＤＭＡＣＫ信号と、ＳＴＯＰ信号により前記ファン制御信号をオフ制御する。【選択図】  図１
2006344309.tif 000002
【特許請求の範囲】
【請求項１】
光記録再生装置と、該光記録再生装置を駆動する駆動装置と、該光記録再生装置を冷却するためのファンを備えたものにおいて、前記駆動装置から前記光記録再生装置に与えられる書込制御信号を検知する検知手段を備え、前記検知手段によって書込制御信号を検知することで、前記ファンを動作させることを特徴とする光記録再生装置の冷却ファン制御装置。
【請求項２】
光記録再生装置と外部記憶装置制御回路を接続するインターフェース信号の中のＤＤＭＡＲＤＹ信号とＨＳＴＲＯＢＥ信号とにより、ファン制御信号を生成し、該ファン制御信号によってファンをオン・オフ制御することを特徴とする光記録再生装置の冷却ファン制御装置。
【請求項３】
前記インターフェース信号の中のＤＭＡＣＫ信号と、ＳＴＯＰ信号により前記ファン制御信号をオフ制御することを特徴とする請求項２に記載の光記録再生装置の冷却ファン制御装置。
【請求項４】
光記録再生装置と外部記憶装置制御回路を接続するインターフェース信号の中のＤＭＡデータアウト転送のためのフロー制御信号であり、光記録再生装置がＤＭＡデータアウト転送の受け入れ準備ができていることを外部記憶装置制御回路に示すため光記録再生装置によってアサートされる信号と、ＤＭＡデータアウト転送において外部記憶装置制御回路からのデータストローブ信号であり、ＨＳＴＲＯＢＥ信号の立上りと立下りの両エッジで、データ端子のデータを光記録再生装置内にラッチする信号とにより、ファン制御信号を生成し、このファン制御信号によってファンをオン・オフ制御することを特徴とする光記録再生装置の冷却ファン制御装置。
【請求項５】
前記インターフェース信号中のＤＭＡＲＱ信号の応答として、データを受け取ることができること、またはデータが有効であることを示すため外部記憶装置制御回路がアサートする信号であり、外部記憶装置制御回路へリード時、または外部記憶装置制御回路からライト時のデータ転送の用意ができたとき、光記録再生装置がアサートする信号と、ＤＭＡ転送内において、データが転送される前に外部記憶装置制御回路によってネゲートされ、ＤＭＡモード内のデータ転送中、転送の中断を知らせる信号により、前記ファン制御信号をオフ制御することを特徴とする請求項４に記載の光記録再生装置の冷却ファン制御装置。
【請求項６】
前記光記録再生装置およびファンは、電子機器の筐体内部に収納されていることを特徴とする請求項１乃至５のいずれか１項に記載の光記録再生装置の冷却ファン制御装置。
【請求項７】
前記電子機器のＣＰＵの温度センサーを更に備え、前記温度センサーの検出温度により、前記ファン制御信号をオン・オフ制御することを特徴とする請求項１乃至６のいずれか１項に記載の光記録再生装置の冷却ファン制御装置。
【発明の詳細な説明】
【技術分野】
【０００１】
本発明は、ＤＶＤレコーダ、ＨＤ−ＤＶＤレコーダ、ＤＶＤオーディオ、ブルーレイ（Ｂｌｕ−ｒａｙ）レコーダ等の光ディスクおよび光磁気ディスクのような光記録再生装置の冷却ファン制御装置に関する。
【背景技術】
【０００２】
パソコンや電子機器の大容量記憶装置として、ＤＶＤレコーダ、ＨＤ−ＤＶＤレコーダ、ＤＶＤオーディオ、ブルーレイ（Ｂｌｕ−ｒａｙ）レコーダ等の光ディスクおよび光磁気ディスクのような光記録再生装置が使用され、これら光記録再生装置の冷却ファン制御装置が、特許文献１乃至３に開示されている。
特許文献１は、上位装置から光記録再生装置を制御する駆動信号を整流、平滑、遅延して冷却ファンを制御する信号を得るものである。特許文献２は、光ディスクドライブのアクセス時間間隔が所定時間を越えるとノーセーブ状態からセーブＩのモードに移行し、冷却ファンの電源電圧を低下させて、ファンの回転数を下げ、更に光ディスクドライブのアクセス時間間隔が長くなるとセーブＩＩのモードに移行し、冷却ファンの回転数を更に下げるものである。特許文献３は光記録再生装置が所定時間以上非動作状態のときはパワーセーブ状態とするスリープモードを設定するものである。
【特許文献１】特開平２−１８５７８４号公報
【特許文献２】特開平６−８４３３９号公報
【特許文献３】特開平７−２７２４７６号公報
【発明の開示】
【発明が解決しようとする課題】
【０００３】
上記特許文献１乃至３は光記録再生装置の上位装置または光記録再生装置の駆動装置から制御信号を得て冷却ファンを制御しているので、制御信号を生成する必要がある。
本発明は、光記録再生装置と外部記憶装置制御回路のインターフェース信号から直接に冷却ファンの制御信号を生成するものである。また本発明は光記録再生装置の書き込み動作に正確に同期してファンの駆動を制御するようにするものである。これにより書き込み速度が高速の光記録再生装置のように温度マージンが少ない光記録再生装置を効果的に冷却し、光記録再生装置を含む電子機器の動作を安定させるものである。更にＣＰＵの温度により冷却ファンを制御するものである。
【課題を解決するための手段】
【０００４】
本発明の光記録再生装置の冷却ファン制御装置は、光記録再生装置と、該光記録再生装置を駆動する駆動装置と、該光記録再生装置を冷却するためのファンを備えたものにおいて、前記駆動装置から前記光記録再生装置に与えられる書込制御信号を検知する検知手段を備え、前記検知手段によって書込制御信号を検知することで、前記ファンを動作させることにより、本発明の課題を解決する。
また、本発明の光記録再生装置の冷却ファン制御装置は、光記録再生装置と外部記憶装置制御回路を接続するインターフェース信号の中のＤＤＭＡＲＤＹ信号と、ＨＳＴＲＯＢＥ信号とにより、ファン制御信号を生成し、このファン制御信号によってファンをオン・オフ制御することにより、本発明の課題を解決する。
また本発明の光記録再生装置の冷却ファン制御装置は、前記インターフェース信号中のＤＭＡＣＫ信号と、ＳＴＯＰ信号により前記ファン制御信号をオフ制御することにより、効果的に制御することができる。
【０００５】
また本発明の光記録再生装置の冷却ファン制御装置は、光記録再生装置と外部記憶装置制御回路を接続するインターフェース信号の中のＤＭＡデータアウト転送のためのフロー制御信号であり、光記録再生装置がＤＭＡデータアウト転送の受け入れ準備ができていることを外部記憶装置制御回路に示すため光記録再生装置によってアサートされる信号と、ＤＭＡデータアウト転送において外部記憶装置制御回路からのデータストローブ信号であり、ＨＳＴＲＯＢＥ信号の立上りと立下りの両エッジで、データ端子のデータを光記録再生装置内にラッチする信号とにより、ファン制御信号を生成し、このファン制御信号によってファンをオン・オフ制御することを特徴とする。
【０００６】
また本発明の光記録再生装置の冷却ファン制御装置は、前記インターフェース信号中のＤＭＡＲＱ信号の応答として、データを受け取ることができること、またはデータが有効であることを示すため外部記憶装置制御回路がアサートする信号であり、外部記憶装置制御回路へリード時、または外部記憶装置制御回路からライト時のデータ転送の用意ができたとき、光記録再生装置がアサートする信号と、ＤＭＡ転送内において、データが転送される前に外部記憶装置制御回路７によってネゲートされ、ＤＭＡモード内のデータ転送中、転送の中断を知らせる信号により、前記ファン制御信号をオフ制御することを特徴とする。
【０００７】
また本発明の光記録再生装置の冷却ファン制御装置は、前記光記録再生装置およびファンが、電子機器の筐体内部に収納されているとよい。
また本発明の光記録再生装置の冷却ファン制御装置は、前記電子機器のＣＰＵの温度センサーを更に備え、前記温度センサーの検出温度により、前記ファン制御信号をオン・オフ制御することにより、より効果的に制御することができる。
【発明の効果】
【０００８】
本発明の光記録再生装置の冷却ファン制御装置は、光記録再生装置と、該光記録再生装置を駆動する駆動装置と、該光記録再生装置を冷却するためのファンを備えたものにおいて、前記駆動装置から前記光記録再生装置に与えられる書込制御信号を検知する検知手段を備え、前記検知手段によって書込制御信号を検知することで、前記ファンを動作させるので、書込制御信号が発生するたびにファンを動作させることができる。
また本発明の光記録再生装置の冷却ファン制御装置は、光記録再生装置と外部記憶装置制御回路のインターフェース信号中のＤＤＭＡＲＤＹ信号と、ＨＳＴＲＯＢＥ信号によりファン制御信号をオン・オフ制御するので、光記録再生装置と外部記憶装置制御回路のインターフェース信号を利用して直接に制御信号を生成することができる。またＤＤＭＡＲＤＹ信号は光記録再生装置がデータ転送の受け入れ準備ができていることを示す信号であり、ＨＳＴＲＯＢＥ信号は、データ転送において、ホスト装置からのデータストローブ信号であるので、冷却ファンを光記録再生装置の書き込みデータ転送に合わせて正確な制御をすることができる。またインターフェース信号を利用するので、光記録再生装置または外部記憶装置制御回路から冷却のための専用信号を生成する必要がなく、また温度検知装置や電流検知装置を必要としない。これにより書き込み速度が高速化し温度マージンが少ない光記録再生装置を効果的に冷却することができる。したがって冷却装置の消費電力を少なくし、また冷却装置の騒音を小さくする。さらに冷却装置が発生する空気流により光記録再生装置の塵埃に影響を最小限にすることができる。
【０００９】
また本発明の光記録再生装置の冷却ファン制御装置は、前記インターフェース信号中のＤＭＡＣＫ信号と、ＳＴＯＰ信号により前記ファン制御信号をオフ制御するので、ＤＭＡＣＫ信号によりデータを受け取ることができること、またはデータが有効であることが示され、またＳＴＯＰ信号によりデータ転送される前にホスト装置によってネゲートされなければならないこと、およびデータ転送中に転送の中断が知らされることにより、冷却ファンを効果的に制御することができる。
また本発明の光記録再生装置の冷却ファン制御装置は、前記光記録再生装置およびファンが、電子機器の筐体内部に収納されているので、光記録再生装置と、光記録再生装置の駆動装置を含め，パソコン、複写機、ゲーム機、映像レコーダ，映像再生機、音声レコーダ、音声再生機のような電子機器内部を冷却することができる。
また本発明の光記録再生装置の冷却ファン制御装置は、前記電子機器のＣＰＵの温度センサーを更に備え、前記温度センサーの検出温度により、前記ファン制御信号をオン・オフ制御するので、光記録再生装置およびＣＰＵの動作を安定させることができる。
【発明を実施するための最良の形態】
【００１０】
本発明の光記録再生装置の冷却ファン制御装置のブロック図を図１に示す。
図１はパソコンのブロック図を示し、パソコンは、パソコンの制御を行うＣＰＵ１、ＲＯＭ、ＲＡＭのようなメモリ２、ディスプレイ、スピーカよりなる出力部３、キーボード、マウス、ポインター、タッチパネルのような入力部４、ハードディスク５および光記録再生装置６を制御する外部記憶装置制御回路７を備え、これらはデータバス８によって接続される。光記録再生装置６は光ディスクの駆動機構、光ピックアップ、光ディスクの挿入・排出機構、駆動ＩＣを含む。光記録再生装置６はＤＶＤレコーダ、ＨＤ−ＤＶＤレコーダ、ＤＶＤオーディオ、ブルーレイ（Ｂｌｕ−ｒａｙ）レコーダ等の光ディスクおよび光磁気ディスクのような光記録再生装置である。本発明の光記録再生装置の冷却ファン制御装置は、光記録再生装置６と外部記憶装置制御回路７を接続するインターフェースであるバスライン９にファン制御回路１０を接続して、外部記憶装置制御回路７から光記録再生装置６に与えられる書込制御信号を検知する検知手段によってファン制御回路１０を制御し、このファン制御回路１０をファン１１に接続して構成される。上記の各構成部分は電子機器筐体内にコンパクトに配置して収納され、更にファン１１によって発生する空気流によりＣＰＵ１、光記録再生装置６が効果的に冷却されるように配置する。
【００１１】
(実施例１)
前記光記録再生装置６と外部記憶装置制御回路７を接続するインターフェースインターフェース信号線は、ＩＤＥ規格のＡＴＡＰＩ（ＡＴ  Ａｔｔａｃｈｍｅｎｔ  Ｐａｃｋｅｔ  Ｉｎｔｅｒｆａｃｅ）を使用する。ＩＤＥ規格はパソコン本体に主に内蔵ハードディスクを接続する規格である。ＡＴＡＰＩは、光ディスク、磁気テープ装置などを接続する規格である。
ＡＴＡＰＩ規格によりインターフェース信号線は、図２に示すようにデータ０−１５のデータバスライン２１、ＤＭＡＣＫ信号を伝送するＤＭＡアクノウレッジ線２２、ＤＭＡＲＱ信号を伝送するＤＭＡリクエスト線およびＩＮＴＲＱ信号を伝送するインターラップリクエスト線２３、ＤＩＯＷ信号を伝送するＩ／Ｏライト線およびＳＴＯＰ信号を伝送するストップデータ線２４、ＤＩＯＲ信号を伝送するＩ／Ｏリード線およびＨＤＭＡＲＤＹ信号を伝送するＤＭＡデータイン転送線およびＨＳＴＲＯＢＥ信号を伝送するＤＭＡデータアウト転送線２５、ＰＤＩＡＧ信号を伝送するスレーブの自己診断終了通知線およびＣＢＬＩＤ信号を伝送するケーブルタイプ検出線およびＤＡＳＰ信号を伝送するデバイスのアクティブ・スレーブ指示線２６、ＩＯＲＤＹ信号を伝送する転送サイクル引き延ばし要求線およびＤＤＭＡＲＤＹ信号を伝送するライトＤＭＡコマンド転送線およびＤＳＴＲＯＢＥ信号を伝送するデータインストローブ線２７、ＤＡ０−２信号を伝送するアドレス線およびＣＳ０信号を伝送するチップセレクト線およびＣＳ１信号を伝送するチップセレクト線２８、ＲＥＳＥＴ信号を伝送するリセット信号線およびＣＳＥＬ信号を伝送するケーブルセレクト線２９、＋５ＶＤＣまたは＋１２ＶＤＣの電源ライン３０、グランド線３１を備える。
【００１２】
上記ファン制御回路１０は図３に示すように、上記インターフェース信号の内、ＤＤＭＡＲＤＹ信号、ＨＳＴＲＯＢＥ信号、ＤＭＡＣＫ信号と、ＳＴＯＰ信号を使用して構成される。すなわち、上記ＤＤＭＡＲＤＹ信号が反転型インバータ３５に入力され、その出力がＤ型フリップフッロプ３６のＤ端子に入力される。またＤ型フリップフッロプ３６のクロック端子にＨＳＴＲＯＢＥ信号が入力される。Ｄ型フリップフッロプ３６のリセット端子には、ＤＭＡＣＫ信号と、ＳＴＯＰ信号が入力されるナンドゲート３７の出力信号が入力される。Ｄ型フリップフッロプ３６の出力はインバータ３８を介してファン制御信号としてファン１１に供給される。
【００１３】
ここでＤＤＭＡＲＤＹ信号は、ＩＯＲＤＹ信号を伝送する転送サイクル引き延ばし要求線およびＤＤＭＡＲＤＹ信号を伝送するライトＤＭＡコマンド転送線およびＤＳＴＲＯＢＥ信号を伝送するデータインストローブ線２７から抽出され、ＤＭＡデータアウト転送（書き込みＤＭＡコマンド）のためのフロー制御信号である。この信号は光記録再生装置６がＤＭＡデータアウト転送の受け入れ準備ができていることを外部記憶装置制御回路７に示すため光記録再生装置６によってアサートされる。また光記録再生装置６はＤＭＡデータアウト転送を休止するためＤＤＭＡＲＤＹ信号をネゲートすることができる。この信号はローレベルでアクティブ状態となり、ハイレベルでインアクティブ状態となる。
ＨＳＴＲＯＢＥ信号は、ＤＩＯＲ信号を伝送するＩ／Ｏリード線およびＨＤＭＡＲＤＹ信号を伝送するＤＭＡデータイン転送線およびＨＳＴＲＯＢＥ信号を伝送するＤＭＡデータアウト転送線２５から抽出され、ＤＭＡデータアウト転送（書き込みＤＭＡコマンド）において外部記憶装置制御回路７からのデータストローブ信号である。ＨＳＴＲＯＢＥ信号の立上りと立下りの両エッジで、データ端子０−１５のデータを光記録再生装置６内にラッチする。外部記憶装置制御回路７はＤＭＡデータアウト転送を休止するためにＨＳＴＲＯＢＥ信号の反転を中止することができる。
【００１４】
ＤＭＡＣＫ信号は、ＤＭＡＲＱ信号を伝送するＤＭＡリクエスト線およびＩＮＴＲＱ信号を伝送するインターラップリクエスト線２３から抽出され、ＤＭＡＲＱ信号の応答として、データを受け取ることができること、またはデータが有効であることを示すため外部記憶装置制御回路７がアサートする信号である。ＤＭＡＲＱ信号は外部記憶装置制御回路７と光記録再生装置６間のＤＭＡ転送のために使用される。外部記憶装置制御回路７へリード時、または外部記憶装置制御回路７からライト時のデータ転送の用意ができたとき、光記録再生装置６がアサートする。
ＳＴＯＰ信号は、ＤＩＯＷ信号を伝送するＩ／Ｏライト線およびＳＴＯＰ信号を伝送するストップデータ線２４から抽出される。ＳＴＯＰ信号は、ＤＭＡ転送内において、データが転送される前に外部記憶装置制御回路７によってネゲートされなければならない。ＤＭＡモード内のデータ転送中、後に外部記憶装置制御回路７によってアサートされたＳＴＯＰ信号のアサートは、転送の中断を知らせる。
【００１５】
図４にＤＤＭＡＲＤＹ信号と、ＨＳＴＲＯＢＥ信号と、ＤＭＡＣＫ信号と、ＳＴＯＰ信号の信号波形と、タイムチャートを示す。
図４（a）はライト時のタイムチャートを示し、ライト時は、ＤＤＭＡＲＤＹ信号がローレベルのとき、ＨＳＴＲＯＢＥ信号がローレベルになると、ファン制御信号はハイレベルに変わる。そして、ＤＭＡＣＫ信号またはＳＴＯＰ信号のいずれかがハイレベルに変化すると、ファン制御信号はローレベルに変わる。図４（ａ）ではＳＴＯＰ信号がハイレベルに変化して(点線)、ファン制御信号がローレベルに変化した場合を示している。従って、ファン制御信号はＤＤＭＡＲＤＹ信号とＨＳＴＲＯＢＥ信号がローレベルになったときハイレベルになり、ファン１１が駆動される。そしてＤＭＡＣＫ信号またはＳＴＯＰ信号がハイレベルになったときローレベルになり、ファン１１の駆動が停止される。従って、ＤＤＭＡＲＤＹ信号およびＨＳＴＲＯＢＥ信号と、ＤＭＡＣＫ信号またはＳＴＯＰ信号により書込制御信号が生成される。
このように本発明のファン制御回路は光記録再生装置の書き込み動作に正確に同期してファンの駆動を制御することができる。またインターフェース信号を利用するので、光記録再生装置または外部記憶装置制御回路から冷却のための専用信号を生成する必要がなく、また温度検知装置や電流検知装置を必要としない。これにより書き込み速度が高速の光記録再生装置のように温度マージンが少ない光記録再生装置、特にＨＤ−ＤＶＤレコーダ、ブルーレイ（Ｂｌｕ−ｒａｙ）レコーダ等を効果的に冷却し、安定した温度制御を行うことができる。
【００１６】
図４（b）に示すように、リード時は光記録再生装置が高温になることはないので、ＤＳＴＲＯＢＥ信号（ライト時のＤＤＭＡＲＤＹ信号）と、ＨＤＭＡＲＤＹ信号(ライト時のＨＳＴＲＯＢＥ信号)が変化してもファン制御信号はローレベルを維持し、ファンは駆動されない。
【００１７】
（実施例２）
実施例２は図５に示すように、ＣＰＵ１に温度センサー１５を備え、ファン制御回路１０ａが温度センサーの出力信号を使用して制御することを特徴とする。その他の構成は図１と同様である。
温度センサーはＣＰＵ１に貼り付けたセラミックセンサーであり、ＣＰＵ１の温度を測定し、温度を検知してＣＰＵ１の温度に対応したアナログ信号を出力する。またはＣＰＵ１のクロック信号あるいは制御信号より得られる信号であり、ＣＰＵ１が高速動作し、発熱が多くなると得られるデジタル信号である。上記アナログ信号またはデジタル信号は、ＣＰＵ１が所定温度以上になったときオンになり、所定温度以下になったときオフになる制御信号を出力する。
【００１８】
図６はファン制御回路１０ａの詳細を示し、ＣＰＵ１の温度検知信号はオア回路３９の入力に加えられる。オア回路３９の他方の入力には、前記図３で説明したＤ型フリップフッロプ３６の出力が加えられる。従ってファン制御回路１０ａはＣＰＵ１が所定温度以上になったときオン状態になり、ＣＰＵ１が所定温度以下になったときオフ状態になる温度検知信号により、ファンはオン・オフ制御される。またはＤ型フリップフッロプ３６の出力により制御される。その他の部分は図３と同じである。
実施例２では図４（ａ）（ｂ）のタイムチャートにおいて、ＣＰＵ１の温度検知信号が加わり、ＣＰＵ１の温度検知信号によってファン１１の駆動と停止が制御される。
【００１９】
（実施例３）
実施例３は図７に示すように、外部記憶装置制御回路７から光ディスクアクセス信号４２が取り出され、光ディスクアクセスＬＥＤ４３に供給される。実施例３の場合、外部記憶装置制御回路７と光ディスク装置はシリアルＩ／Ｆ信号線４１により接続される。この光ディスクアクセス信号４２により、ＬＥＤ４３は光ディスクがアクセスされたとき、点灯し、アクセスされないとき消灯する。この光アクセス信号４２がファン１１に供給される。その他の構成は図１と同様である。
従って実施例３では光ディスクアクセス信号が光ディスクアクセスＬＥＤ４３を点滅させるとともに、ファン１１の駆動と停止が制御される。
【００２０】
(実施例４)
実施例４は図８に示すように、ＣＰＵ１にセラミックセンサーのような温度センサー４４を貼り付け、ＣＰＵ１の温度を検知して温度検知信号を得る。またはＣＰＵ１のクロック信号あるいは制御信号より得られる信号であり、ＣＰＵ１が高速動作し、発熱が多くなると温度信号を得る。上記温度検知信号または温度信号は、ＣＰＵ１が所定温度以上になったときハイレベルになり、所定温度以下になったときローレベルになる信号である。この温度検知信号はファン制御回路４５に供給される。ファン制御回路４５には実施例３で説明した光ディスクアクセス信号４２も供給されている。
図９はファン制御回路４５の詳細を示し、ＣＰＵ１の温度検知信号はオア回路４６の入力に加えられる。オア回路４６の他方の入力には、前記実施例３で説明した光ディスクアクセス信号４２が加えられる。従ってファン制御回路４５はＣＰＵ１が所定温度以上になったときオン状態になり、ＣＰＵ１が所定温度以下になったときオフ状態になる温度検知信号により、ファンはオン・オフ制御される。または光ディスクアクセス信号４２により制御される。その他の部分は実施例３と同じである
【図面の簡単な説明】
【００２１】
【図１】光記録再生装置の冷却ファン制御装置のブロック図である。
【図２】光記録再生装置と外部記憶装置制御回路のインターフェース信号線を説明する図である。
【図３】ファン制御回路図である。
【図４】制御信号を生成するタイムチャート図である。
【図５】実施例２の光記録再生装置の冷却ファン制御装置のブロック図である。
【図６】実施例２のファン制御回路図である。
【図７】実施例３の光記録再生装置の冷却ファン制御装置のブロック図である。
【図８】実施例４の光記録再生装置の冷却ファン制御装置のブロック図である。
【図９】実施例４のファン制御回路図である。
【符号の説明】
【００２２】
１    ＣＰＵ
２    メモリ
６    光記録再生装置
７    外部記憶装置制御回路
９    インターフェース信号線
１０  ファン制御回路
１１  ファン
１５  センサー
【図１】
2006344309.tif 000003
【図２】
2006344309.tif 000004
【図３】
2006344309.tif 000005
【図４】
2006344309.tif 000006
【図５】
2006344309.tif 000007
【図６】
2006344309.tif 000008
【図７】
2006344309.tif 000009
【図８】
2006344309.tif 000010
【図９】
2006344309.tif 000011